(57)【要約】  本発明は、アクセスネットワークシステムにおけるワイヤレスローカルエリアネットワーク（ＷＬＡＮ）リソース管理のための方法を提供する。アクセスネットワークシステムは、ネットワークゲートウェイと、アクセス制御装置と、アクセス制御装置によって制御されるワイヤレスアクセスノードを備えている。ネットワークゲートウェイは、ＷＬＡＮリソース構成要求を受信するとともに、受信されたＷＬＡＮリソース構成要求に従って、アクセスノード制御プロトコルＡＮＣＰベースのＷＬＡＮリソース構成メッセージをアクセス制御装置へ送信する。アクセス制御装置は、ＷＬＡＮリソース構成メッセージに従ってＷＬＡＮの構成管理を行うように、対応するワイヤレスアクセスノードを制御する。本発明における技術的解決手段は、オペレータがアクセスネットワークシステムにおける集中型ＷＬＡＮを統一化したＡＮＣＰプロトコルに従って管理および制御することを可能とし、対応するＷＴＰ上に特定の要求事項を満たすＷＬＡＮを構築／削除することを可能とし、かつ、ユーザのＷＬＡＮアクセスの制御および管理を可能とする。
2016519884.tif 000002
【特許請求の範囲】
【請求項１】
ネットワークゲートウェイと、アクセス制御装置と、アクセス制御装置によって制御されるワイヤレスアクセスノードとを含む、アクセスネットワークシステムにおけるワイヤレスローカルエリアネットワークＷＬＡＮリソース管理の方法であって、
ネットワークゲートウェイによって、ＷＬＡＮリソース構成要求を受信することと、
ネットワークゲートウェイによって、受信したＷＬＡＮリソース構成要求に従って、アクセスノード制御ＡＮＣＰプロトコルベースのＷＬＡＮリソース構成メッセージをアクセス制御装置に送信することと、
アクセス制御装置によって、ＷＬＡＮリソース構成メッセージに従って、ＷＬＡＮの構成管理を行うために対応するワイヤレスアクセスノードを制御することと
を備えることを特徴とする、方法。
【請求項２】
ＡＮＣＰプロトコルベースのＷＬＡＮリソース構成メッセージが、
他のＡＮＣＰプロトコル種別のメッセージと区別するためのメッセージ種別と、
アクセスネットワークシステムにおけるワイヤレスアクセスノードのアドレス可能な情報と、
対応するＷＬＡＮリソース構成パラメータと
を少なくとも含むことを特徴とする、請求項１に記載の方法。
【請求項３】
ＷＬＡＮリソース構成パラメータがワイヤレスアクセスポイントの制御およびプロビジョニングＣＡＰＷＡＰプロトコル方式に基づくＷＬＡＮ管理エレメントであることを特徴とする、請求項２に記載の方法。
【請求項４】
ＷＬＡＮリソース構成要求が、サードパーティ認証サーバから到着し、サードパーティ認証サーバが、アクセス認証とユーザからのＷＬＡＮサービス要求の管理とを行うとともに、アクセスネットワークシステムにおけるネットワークゲートウェイのための対応するＷＬＡＮリソース構成要求を生成することを特徴とする、請求項１に記載の方法。
【請求項５】
アクセス制御装置によって、ＷＬＡＮリソース構成が成功したか否かを確認するために、対応する応答メッセージをネットワークゲートウェイに送信すること
をさらに含むことを特徴とする、請求項１に記載の方法。
【請求項６】
アクセスネットワークシステムにおけるＷＬＡＮリソース管理のためのネットワークゲートウェイであって、ＷＬＡＮリソース構成要求を受信するように構成された受信モジュールと、
受信されたＷＬＡＮリソース構成要求に従って、アクセスノード制御ＡＮＣＰプロトコルベースのＷＬＡＮリソース構成メッセージをアクセス制御装置に送信するように構成された送信モジュールと
を備えていることを特徴とする、ネットワークゲートウェイ。
【請求項７】
ＷＬＡＮリソース構成メッセージが、
他のＡＮＣＰプロトコル種別のメッセージと区別するためのメッセージ種別パラメータと、
アクセスネットワークシステムにおけるワイヤレスアクセスノードのアドレス可能な情報と、
対応するＷＬＡＮリソース構成パラメータと
を少なくとも含むことを特徴とする、請求項６に記載のブロードバンドネットワークゲートウェイ。
【請求項８】
ＷＬＡＮ構成パラメータがワイヤレスアクセスポイントの制御およびプロビジョニングＣＡＰＷＡＰプロトコル方式に基づくＷＬＡＮ管理エレメントであることを特徴とする、請求項７に記載のブロードバンドネットワークゲートウェイ。
【請求項９】
ＷＬＡＮリソース構成要求が、サードパーティ認証サーバまたはポリシサーバから到着することを特徴とする、請求項６に記載のブロードバンドネットワークゲートウェイ。
【請求項１０】
受信モジュールが、さらに、ＷＬＡＮリソース構成が成功したか否かを確認するために、応答メッセージをアクセス制御装置から受信することを特徴とする、請求項９に記載のブロードバンドネットワークゲートウェイ。
【請求項１１】
送信モジュールが、さらに、応答メッセージに従って、ＷＬＡＮリソース構成結果をサードパーティ認証サーバまたはポリシサーバに送信することを特徴とする、請求項１０に記載のブロードバンドネットワークゲートウェイ。
【請求項１２】
アクセスネットワークシステムにおけるＷＬＡＮリソース管理のためのアクセス制御装置であって、
アクセスノード制御ＡＮＣＰプロトコルベースのＷＬＡＮリソース構成メッセージをアクセスネットワークシステムにおけるネットワークゲートウェイから取得するように構成された受信モジュールと、
ＷＬＡＮリソース構成メッセージに従って、ＷＬＡＮの構成管理を行うために、対応するワイヤレスアクセスノードを制御するように構成された制御モジュールと
を備えていることを特徴とする、アクセス制御装置。
【請求項１３】
ＷＬＡＮリソース構成メッセージが、
他のＡＮＣＰプロトコル種別のメッセージと区別するためのメッセージ種別パラメータと、
アクセスネットワークシステムにおけるワイヤレスアクセスノードのアドレス可能な情報と、
対応するＷＬＡＮリソース構成パラメータと
を少なくとも含むことを特徴とする、請求項１２に記載のアクセス制御装置。
【請求項１４】
ＷＬＡＮリソース構成パラメータがワイヤレスアクセスポイントの制御およびプロビジョニングＣＡＰＷＡＰプロトコル方式に基づくＷＬＡＮ管理エレメントであることを特徴とする、請求項１３に記載のアクセス制御装置。
【請求項１５】
制御モジュールが、ＷＬＡＮリソース構成が成功したか否かを確認するために、対応する応答メッセージをネットワークゲートウェイに送信することを特徴とする、請求項１２に記載のアクセス制御装置。
【請求項１６】
構成されたＷＬＡＮリソースの利用状況を検出してアクセスネットワークシステムにおけるネットワークゲートウェイに報告するように構成された検出モジュール
をさらに備えていることを特徴とする、請求項１２に記載のアクセス制御装置。
【請求項１７】
ＷＬＡＮリソース管理のための認証サーバであって、
モバイルサイトからのＷＬＡＮサービス要求を受信するように構成された受信モジュールと、
ＷＬＡＮサービス要求の認証を行ってＷＬＡＮアクセスパラメータをモバイルサイトに割り当てるように構成された認証モジュールと、
ＷＬＡＮアクセスパラメータをモバイルサイトに送信し、かつ、ＷＬＡＮリソース構成要求をアクセスネットワークシステムにおけるネットワークゲートウェイに送信するように構成された送信モジュールであって、ＷＬＡＮリソース構成要求が、ワイヤレスアクセスノードに対して、モバイルサイトがアクセスネットワークシステムにアクセスするように構成された対応するＷＬＡＮの構成管理を行うために用いられる、送信モジュールと
を備えることを特徴とする、認証サーバ。
【請求項１８】
受信モジュールがさらに、アクセスネットワークシステムにおけるＷＬＡＮリソース報告を受信するとともに、ＷＬＡＮリソース報告に基づいてＷＬＡＮリソース構成の更新を決定することを特徴とする、請求項１７に記載の認証サーバ。
【請求項１９】
ゲートウェイと、アクセス制御装置と、アクセス制御装置によって制御される複数のワイヤレスアクセスノードとを備えたアクセスネットワークシステムであって、
ネットワークゲートウェイが、ＷＬＡＮリソース要求を受信するとともにＷＬＡＮリソース要求に従って、アクセスノード制御ＡＮＣＰプロトコルベースのＷＬＡＮリソース構成メッセージをアクセス制御装置に送信し、
アクセス制御装置がＷＬＡＮリソース構成メッセージに従ってＷＬＡＮの構成管理を行うために対応するワイヤレスアクセスノードを制御する
ことを特徴とする、アクセスネットワークシステム。
【請求項２０】
ＷＬＡＮリソース構成要求がサードパーティ認証サーバまたはポリシサーバから到着することを特徴とする、請求項１９に記載のアクセスネットワークシステム。
【発明の詳細な説明】
【技術分野】
【０００１】
本発明は、通信技術の分野に関し、より詳細には、アクセスネットワークシステムにおけるＷＬＡＮ（ワイヤレスローカルエリアネットワーク）のリソースの管理方法ならびにその装置およびシステムに関するものである。
【背景技術】
【０００２】
ＷＬＡＮは、近年、広帯域無線技術の１つとして急速な発展を遂げている。ネットワークオペレータはＷＬＡＮを各自のアクセスネットワークシステムに導入して、ＷＬＡＮなどのワイヤレス技術によってより一層の付加価値のあるサービスを実現することを期待している。ネットワークアクセスサービスを提供すべく、ネットワークオペレータらは空港、ホテル、カンファレンスセンター、住宅等といったホットスポットエリアに公衆ＷＬＡＮを設置している。集中型ＷＬＡＮアーキテクチャが第一の選択肢となる。アクセスネットワークにおいては複数のＡＣ（アクセスコントローラ）が利用されており、ＡＣはアクセスネットワーク内に独立して存在していてもよく、あるいは、アクセスノードＡＮ上に統合化されていてもよい。ＣＡＰＷＡＰ（ワイヤレスアクセスポイントの制御およびプロビジョニング）プロトコルによって、各ＡＣは、相当数のワイヤレスターミネーションポイント（Ｗｉｒｅｌｅｓｓ  Ｔｅｒｍｉｎａｔｉｏｎ  Ｐｏｉｎｔ）ＷＴＰ上でＷＬＡＮ制御管理を行うとともに、端末ユーザのアクセス管理を行う。ＡＣはちょうどアクセスノードに対応する。
【発明の概要】
【発明が解決しようとする課題】
【０００３】
しかしながら、ネットワーク規模が絶えず拡大するとともにＷＬＡＮの配備も増々多岐にわたるようになっていることから、ＡＣによって（ＷＬＡＮの構築および解放等を含め）ＷＬＡＮを管理し、もって端末ユーザの柔軟な要求事項を満たすために、アクセスネットワークシステムにおいて統一化されかつ効果的なメカニズムをどのようにして利用するかが解決されるべき喫緊の課題となっている。
【０００４】
アクセスネットワークにおいては、各ユーザについてＱｏＳ（サービス品質）が要求されるとともにサービスに関連する処理を行うために、ＢＢＦ標準化機構は、アクセスノードとブロードバンドネットワークゲートウェイとの間で動作するレイヤ２制御メカニズムを規定しているが、他方、ＩＥＴＦ（インターネット技術タスクフォース；Ｉｎｔｅｒｎｅｔ  Ｅｎｇｉｎｅｅｒｉｎｇ  Ｔａｓｋ  Ｆｏｒｃｅ）は、ここで関連性を有するアクセスノード制御プロトコル（Ａｃｃｅｓｓ  Ｎｏｄｅ  Ｃｏｎｔｒｏｌ  Ｐｒｏｔｏｃｏｌ）ＡＮＣＰを定式化している。ＡＮＣＰプロトコルにより、ネットワークオペレータは、統一化された管理制御態様のもとで様々なアクセス技術（例えば、ｘＤＳＬ、ｓＰＯＮ）を管理することができる。
【課題を解決するための手段】
【０００５】
本発明は、アクセスネットワークシステムにおけるＷＬＡＮリソース管理を支援するための技術的解決手段を提供することを意図するものであって、この解決手段は、ネットワークゲートウェイＢＮＧとアクセス制御装置ＡＣとの間のアクセスノード制御プロトコルＡＮＣＰによって、特定のＷＬＡＮリソース構成要求に基づいて、アクセスネットワークにおけるＷＬＡＮリソース構成管理を実現することができる。
【０００６】
本発明の一態様によれば、ネットワークゲートウェイと、アクセス制御装置と、アクセス制御装置によって制御されるワイヤレスアクセスノードとを備えたアクセスネットワークシステム、におけるＷＬＡＮリソース管理の方法であって、ネットワークゲートウェイがＷＬＡＮリソース構成要求を受信し、受信したＷＬＡＮリソース構成要求に従って、アクセスノード制御プロトコルＡＮＣＰベースのＷＬＡＮリソース構成メッセージをアクセス制御装置に送信し、アクセス制御装置がＷＬＡＮリソース構成メッセージに従って、ＷＬＡＮの構成管理を行うために対応するワイヤレスアクセスノードを制御する、ＷＬＡＮリソース管理の方法が提供される。
【０００７】
本発明の別の態様によれば、アクセスネットワークシステムにおけるＷＬＡＮリソース管理のためのネットワークゲートウェイであって：ＷＬＡＮリソース構成要求を受信するように構成された受信モジュールと、ＷＬＡＮリソース構成要求に従って、アクセスノード制御プロトコルＡＮＣＰベースのＷＬＡＮリソース構成メッセージをアクセス制御装置に送信するように構成された送信モジュールと、を備えている、ネットワークゲートウェイが提供される。
【０００８】
本発明のさらなる別の態様によれば、アクセスネットワークシステムにおけるＷＬＡＮリソース管理のためのアクセス制御装置であって：アクセスノード制御プロトコルＡＮＣＰベースのＷＬＡＮリソース構成メッセージをアクセスネットワークシステムにおけるネットワークゲートウェイから取得するように構成された受信モジュールと、ＷＬＡＮリソース構成メッセージに従って、ＷＬＡＮの構成管理を行うために、対応するワイヤレスアクセスノードを制御するように構成された制御モジュールと、を備えている、アクセスネットワークシステムにおけるＷＬＡＮリソース管理のためのアクセス制御装置が提供される。
【０００９】
本発明のさらにまた別の態様によれば、ＷＬＡＮリソース管理のための認証サーバであって：モバイルサイトからのＷＬＡＮサービス要求を受信するように構成された受信モジュールと、ＷＬＡＮサービス要求の認証を行い認証結果に基づいてＷＬＡＮアクセスパラメータをモバイルサイトに割り当てるように構成された認証モジュールと、ＷＬＡＮアクセスパラメータをモバイルサイトに送信し、かつ、ＷＬＡＮリソース構成要求をアクセスネットワークシステムにおけるネットワークゲートウェイＢＮＧに送信するように構成された送信モジュールとを備え、ＷＬＡＮリソース構成要求が、ワイヤレスアクセスノードに対して、モバイルサイトがアクセスネットワークシステムにアクセスするように構成された対応するＷＬＡＮの構成管理を行うために用いられる、ＷＬＡＮリソース管理のための認証サーバが提供される。
【００１０】
本発明のさらなる態様によれば、ネットワークゲートウェイと、アクセス制御装置と、アクセス制御装置によって制御される複数のワイヤレスアクセスノードとを備えたアクセスネットワークシステムであって、ネットワークゲートウェイが、ＷＬＡＮリソース構成要求を受信するとともにＷＬＡＮリソース構成要求に従って、アクセスノード制御プロトコルＡＮＣＰベースのＷＬＡＮリソース構成メッセージをアクセス制御装置に送信し、かつ、アクセス制御装置がＷＬＡＮリソース構成メッセージに従ってＷＬＡＮの構成管理を行うために対応するワイヤレスアクセスノードを制御する、アクセスネットワークシステムが提供される。
【００１１】
本発明は、以下の潜在的な技術的利点を有する。
【００１２】
アクセスネットワークオペレータは、統一化されたＡＮＣＰプロトコルによって、アクセスネットワークシステムにおける、アクセスネットワークに展開された集中型ＷＬＡＮを含め様々なアクセス技術を管理および制御することができ、対応するＷＴＰ上の特定の要求事項を満たすＷＬＡＮを効率的に構築／削除することができるとともに、ユーザのＷＬＡＮアクセスを制御および管理することができる。
【００１３】
本発明の特徴、属性および利点は、添付の図面を参照し、以下の詳細な説明を通してより一層明らかになるであろう。添付の図面において同様の要素は同じ識別子を有するものとする。
【図面の簡単な説明】
【００１４】
【図１】図１は、本発明において提供されるアクセスネットワークシステムにおけるＷＬＡＮ配置図である。
【図２】図２は、本発明において提供されるＡＮＣＰプロトコルのＷＬＡＮ制御メッセージの実施形態を示した図である。
【図３】図３は、本発明において提供されるアクセスネットワークシステムにおけるＷＬＡＮの動的構築の実施形態を示した図である。
【図４】図４は、本発明において提供されるアクセスネットワークシステムにおけるＷＬＡＮの動的解放の実施形態を示した図である。
【図５】図５は、本発明において提供されるアクセスネットワークシステムにおけるＷＬＡＮの動的解放の実施形態を示した図である。
【発明を実施するための形態】
【００１５】
以下、本発明の好ましい実施形態を添付の図面を参照しながら詳細に説明する。
【００１６】
図１は、本発明において提供されるアクセスネットワークシステムにおけるＷＬＡＮ配備図である。数個のＷｉＦｉモバイルサイトＵＥ１、ＵＥ２、ＵＥ３が、各々のワイヤレスアクセスノードＷＴＰ１、ＷＴＰ２を介して、アクセスコントローラＡＣ１に接続され、またはアクセスコントローラＡＣを有するアクセスノードＡＮに接続されている。アクセスネットワークシステムにおけるアクセスコントローラＡＣ１およびアクセスノードＡＮは、Ｅｔｈｅｒｎｅｔ（登録商標）におけるスイッチによって連結されていてもよく、アクセスネットワークシステムのエッジに位置しているブロードバンドネットワークゲートウェイＢＮＧに収斂されていてもよく、さらにバックボーンネットワークであるＩＰ／ＭＰＬＳ（マルチプロトコルラベルスイッチング）ネットワークに接続されていてもよい。
【００１７】
図１に示すブロードバンドネットワークゲートウェイＢＮＧは、一方で、アクセスネットワークシステムにおけるユーザネットワーク接続を終端するとともにユーザのトラヒックを収斂させる機能を担うネットワークベアラの機能性を行う。他方で、ブロードバンドネットワークゲートウェイＢＮＧは、制御および実装機能を行い、この制御および実装機能は、ユーザアクセスの認証、課金および管理を実現するために認証システム、課金システム、クライアント管理システムおよびサービスポリシ制御システムと連携することができる。ここで、ブロードバンドネットワークゲートウェイＢＮＧはさらに、アクセスネットワークシステムにおけるＷＬＡＮ（ワイヤレスローカルエリアネットワーク）リソース管理を行う。ブロードバンドネットワークゲートウェイＢＮＧは、ＷＬＡＮリソース構成要求を、特定のプロトコルインタフェースを介してサードパーティサーバから受信してもよく、前記ＷＬＡＮリソース構成要求に従って、アクセスノード制御ＡＮＣＰプロトコルベースのＷＬＡＮリソース構成メッセージを、アクセス制御装置ＡＣ１へ、または、アクセス制御ＡＣとしての機能性をもつアクセスノードＡＮへ、ＡＮＣＰプロトコルインタフェースを介して送信してもよい。
【００１８】
本発明の一実施形態によれば、上述したＷＬＡＮリソース構成要求は、ＡＡＡ認証サーバによって生成されてもよい。ＡＡＡ認証サーバは、ユーザの識別子および／またはトラヒックを認証するなどのアクセス認証機能を行い、ＡＡＡ認証サーバは、ユーザ識別子情報および関連するトラヒック属性などのユーザデータを保存する。ＡＡＡ認証サーバがアクセス認証要求をユーザから受信すると、ＡＡＡ認証サーバは、ユーザデータのデータベースへの問合せをサポートし、認証結果をユーザ端末およびそのネットワークアクセス装置に提供する。ここで、ＡＡＡ認証サーバは、ＷｉＦｉモバイルサイトＵＥ１、ＵＥ２、ＵＥ３からのＷＬＡＮサービス要求を認証する。一方でＡＡＡ認証サーバは、モバイルサイトがアクセスネットワークシステムにアクセスするように構成された対応するＷＬＡＮの構成管理をワイヤレスアクセスノードＷＴＰ１、ＷＴＰ２に対して行うために、認証結果に基づいて、ＷＬＡＮリソース構成要求をアクセスネットワークシステムにおけるブロードバンドネットワークゲートウェイＢＮＧへ送信する。典型的には、ＡＡＡサーバとブロードバンドネットワークゲートウェイＢＮＧとの間のプロトコルインタフェース方式としては、ＲＡＤＩＵＳプロトコル方式を採用することができる。他方で、ＡＡＡ認証サーバは、過去のＷＬＡＮ構成管理応答に従って対応するＷＬＡＮアクセスパラメータをモバイルサイトに割り当てて、当該パラメータをＷｉＦｉモバイルサイトに提供してもよい。
【００１９】
本発明の別の実施形態によれば、上述したＷＬＡＮリソース構成要求は、動作要件に従って幾つかの特定のＷＴＰ上に何らかのＷＬＡＮを構築するようにＢＮＧに対して通知をするために、ポリシサーバによって開始されてもよい。
【００２０】
図１におけるアクセスノードＡＮは、アクセスコントローラＡＣの機能性をもつＤＳＬＡＭ（デジタル加入者線アクセス多重化器）またはＯＬＴ（光回線終端装置）、ＬＡＮスイッチ等とすることができる。アクセスノードＡＮおよびアクセスコントローラＡＣ１は、アクセスをしているワイヤレスアクセスノードＷＴＰ１、ＷＴＰ２に対して、ＣＡＰＷＡＰまたはＬＷＡＰＰ（軽量アクセスポイントプロトコル）などの特定のプロトコルによって、集中型のＷＬＡＮ構成管理を行ってもよい。ここで、アクセスノードＡＮおよびアクセスコントローラＡＣ１は、アクセスノード制御ＡＮＣＰプロトコルベースのＷＬＡＮリソース構成メッセージを、アクセスネットワークシステムにおけるブロードバンドネットワークゲートウェイＢＮＧからＡＮＣＰプロトコルインタフェースを介して受信し、ＷＬＡＮの構成管理を行うために、ＣＡＰＷＡＰプロトコルインタフェースを介して、ＷＬＡＮリソース構成メッセージに従って、その対応するワイヤレスアクセスノードＷＴＰ１、ＷＴＰ２を制御する、例えば、モバイルサイトＵＥ１、ＵＥ２に対してＷＴＰ１でのトラヒックアクセスを提供することができるＷＬＡＮを構築するとともに、モバイルサイトＵＥ３に対してＷＴＰ２でのトラヒックアクセスを提供することができるＷＬＡＮを構築することができる。
【００２１】
図２は、本発明の実施形態において提供されるＡＮＣＰプロトコルによるＷＬＡＮ制御メッセージの実施形態を示した図であって、これは、ブロードバンドネットワークゲートウェイＢＮＧがＷＬＡＮリソース構成管理メッセージをアクセスコントローラへ送信するために用いることができるものであり、また、アクセスコントローラが、ＷＬＡＮリソースをブロードバンドネットワークゲートウェイＢＮＧへレポートしてＷＬＡＮリソース構成管理メッセージに応答するために用いることができるものである。
【００２２】
ブロードバンドネットワークゲートウェイＢＮＧが一例としてＷＬＡＮリソース構成管理メッセージをアクセスコントローラへ送信する場合、ＷＬＡＮリソース構成管理メッセージは、少なくとも、以下の情報要素を含む。
【００２３】
他のＡＮＣＰプロトコル種別のメッセージと区別するための１つのメッセージ種別（Ｍｅｓｓａｇｅ  Ｔｙｐｅ）パラメータ。
【００２４】
アクセスネットワークシステムにおけるワイヤレスアクセスノードＷＴＰのアドレス可能な情報は、バージョン（ｖ）と、ワイヤレスアクセスノード識別子（ＷＴＰ識別子）とを用いて識別され得る。ＷＴＰ識別子は、ＷＴＰのＩＰアドレスとすることができ、ｖパラメータは、ＷＴＰのＩＰアドレスの種別を表すために用いられる。例えば、ｖパラメータ「０」はＩＰアドレスがＩＰｖ４ベースのアドレス種別であることを表し、ｖパラメータ「１」はＩＰアドレスがＩＰｖ６ベースのアドレス種別であることを表す。
【００２５】
対応するＷＬＡＮリソース構成パラメータ（ＣＡＰＷＡＰ  ＩＥＥＥ  ８０２．１１  ＷＬＡＮ  Ｍｅｓｓａｇｅ  Ｅｌｅｍｅｎｔ）。これは、ＡＣに対してＷＴＰ上で提供されるサービスを変更することを指示するための、ＣＡＰＷＡＰプロトコル方式に基づくＷＬＡＮ管理要素とすることができる。ＷＬＡＮ管理要素は、ＷＴＰ上でＷＬＡＮを構築、更新または削除するために用いることができる。ＣＡＰＷＡＰ  ＩＥＥＥ８０２．１１  ＷＬＡＮの様々なメッセージ要素については、ＲＦＣ５４１６を参照されたい。
【００２６】
図３は、本発明の実施形態において提供されるアクセスネットワークシステムにおけるＷＬＡＮの動的構成の例を示した図である。図３においては、ブロードバンドネットワークゲートウェイＢＮＧは、ＷｉＦｉモバイルサイトＵＥ３に対して、ＡＡＡサーバからのＷＬＡＮリソース構成要求に従って、モバイルサイトがアクセスネットワークシステムにアクセスするように構成されたＷＬＡＮを、動的に構築する。
【００２７】
ステップＳ３０１において、ＷｉＦｉモバイルサイトＵＥ３は、アクセスネットワークシステムにおけるワイヤレスアクセスノードＷＴＰ２に公衆サービスセット識別子（ＳＳＩＤ）を介して関連付けされていてもよく、また、これに応じて認証要求を開始してもよく、これは、アカウント、パスワード、所属ドメイン（または必要なトラヒック種別）等といったユーザ情報を含む。ＷＴＰ２は、ＣＡＰＷＡＰプロトコルにより認証要求メッセージをアクセスコントローラＡＣ１へ送信する。認証要求メッセージを受信すると、アクセスコントローラＡＣ１はさらに、ＷＴＰ２それ自体の識別情報（例えば、ＷＴＰのＩＰアドレス情報）およびＡＣ１の識別情報（例えば、ＡＣのＩＰアドレス）を、認証要求メッセージ内に配置して、当該認証要求メッセージを、ＡＮＣＰプロトコル方式に基づいてブロードバンドネットワークゲートウェイＢＮＧへ送信する。
【００２８】
ステップＳ３０２において、認証要求メッセージを受信すると、ブロードバンドネットワークゲートウェイはさらに、ＲＡＤＩＵＳプロトコル方式ベースのアクセス要求（Ａｃｃｅｓｓ＿Ｒｅｑｕｅｓｔ）パケットをＡＡＡサーバへ送信する。
【００２９】
ステップＳ３０３において、ＡＡＡサーバは、Ａｃｃｅｓｓ＿Ｒｅｑｕｅｓｔパケットを受信してこの要求が正当な要求であるか否かを認証する。認証を通過すると、ＡＡＡサーバは、ＷｉＦｉモバイルサイトＵＥ３に対応するＷＴＰ２がアクセス条件に適合するＷＬＡＮを有しているか否かを決定する。ＷＩＴ（ＷＬＡＮ情報テーブル）が特定の条件に適合するＷＬＡＮをもつ場合には、ＡＡＡサーバは、ＷｉＦｉモバイルサイトＵＥ３に対応する識別情報を対応するＷＩＴエントリに追加して、対応するＷＬＡＮアクセスパラメータをモバイルサイトへ割り当てかつ送信する。ＷＩＴが特定の条件に適合するＷＬＡＮをもたない場合には、ＡＡＡサーバは、対応するＷＬＡＮアクセスパラメータ（例えばＷＬＡＮの対応するＳＳＩＤ、暗号化／復号方法等）をＷｉＦｉモバイルサイトＵＥ３に対して割り当てる。他方、ＡＡＡサーバは、サービスを提供するためにサイトＵＥ３が対応してアクセスしているＷＴＰ２上に、対応するＷＬＡＮを構築することを要求するために、ＷＬＡＮリソース構成要求をアクセスネットワークシステムにおけるブロードバンドネットワークゲートウェイＢＮＧへ送信する。
【００３０】
ステップＳ３０４において、ＡＡＡサーバからＷＬＡＮリソース構成要求を受信後、かつ、ＷＬＡＮリソース要求に基づいて、ブロードバンドネットワークゲートウェイＢＮＧは、アクセスノード制御ＡＮＣＰプロトコルベースのＷＬＡＮリソース構成メッセージをアクセス制御装置ＡＣ１へ送信する。
【００３１】
ステップＳ３０５において、アクセス制御装置ＡＣ１は、アクセスノード制御ＡＮＣＰプロトコルベースのＷＬＡＮリソース構成メッセージをネットワークゲートウェイＢＮＧから取得して、前記ＷＬＡＮリソース構成メッセージに従ってＷＬＡＮの構成管理を行うために、対応するワイヤレスアクセスノードＷＴＰを制御する、すなわち、サービスを提供するために、ＷｉＦｉモバイルサイトＵＥ３が対応してアクセスしているＷＴＰ２上に対応するＷＬＡＮを構築する。
【００３２】
ステップＳ３０６において、アクセス制御装置ＡＣ１がＷＴＰ２上にＷＬＡＮを構築することに成功した後で、アクセス制御装置ＡＣ１は、前記ＷＬＡＮリソース構成が成功したか失敗したかを確認するために対応する応答メッセージをブロードバンドネットワークゲートウェイＢＮＧへ送信する。
【００３３】
ステップＳ３０７において、前記応答メッセージを受信後、ブロードバンドネットワークゲートウェイＢＮＧはさらに、ＷＬＡＮリソース構成結果をＡＡＡ認証サーバ（またはポリシサーバ）へ送信する。
【００３４】
ステップＳ３０８において、ＡＡＡサーバは、応答メッセージに基づいてアクセス許可（Ａｃｃｅｓｓ＿Ａｃｃｅｐｔ）パケットを送信するが、このパケットによって、ＷｉＦｉモバイルサイトＵＥ３に割り当てられた対応するＷＬＡＮアクセスパラメータが搬送される。
【００３５】
ステップＳ３０９において、ブロードバンドネットワークゲートウェイＢＮＧはさらに、対応する方式で、Ａｃｃｅｓｓ＿ＡｃｃｅｐｔパケットにおけるＷＬＡＮアクセスパラメータを、認証を要求している当事者−モバイルサイトＵＥ３へ送信する。
【００３６】
ステップＳ３１０において、モバイルサイトＵＥ３は、構築されたＷＬＡＮへ取得されたＷＬＡＮアクセスパラメータを用いて接続するために、８０２．１１アソシエーションまたは再アソシエーションを行うとともに、モバイルサイトＵＥ３に対して、例えばＤＨＣＰプロトコルによりモバイルネットワーク端末に対するＩＰアドレスを構成するなど、ネットワークアクセスパラメータを割り当てて、モバイルネットワーク端末が関連性のあるネットワークリソースを取得する能力を獲得するようにする。
【００３７】
図４は、本発明の実施形態において提供されるＷＬＡＮの動的解放の例を示した図である。図４においては、モバイルサイト通知方式に基づいて、ブロードバンドネットワークゲートウェイＢＮＧは、ＡＡＡサーバからのＷＬＡＮリソース構成要求に従って、アクセスネットワークシステムにおけるモバイルサイトＵＥ３のためのＷＬＡＮアクセスリソースを解放する。
【００３８】
ステップＳ４０１において、モバイルサイトＵＥ３がＷＬＡＮから退出するとき、モバイルサイトＵＥ３はＤＨＣＰ解放メッセージをＤＨＣＰサーバへ送信する。
【００３９】
ステップＳ４０２において、ブロードバンドネットワークゲートウェイＢＮＧは、取得されたＤＨＣＰプロトコルメッセージに基づいてモバイルサイトが退出することを決定したうえでＡＡＡサーバに対して課金を停止するように通知する。
【００４０】
ステップＳ４０３において、課金停止のメッセージを受信すると、ＡＡＡサーバは、ＷＬＡＮリソース構成更新を行うか否かを決定する。まず、ＡＡＡサーバは、対応するＷＩＴエントリを更新する、すなわち、モバイルサイト情報を対応するＷＬＡＮから削除する。ＷＬＡＮにユーザがいない場合には、ＡＡＡサーバは、ブロードバンドネットワークゲートウェイＢＮＧがアクセスネットワークシステムの対応するＷＬＡＮを削除してリソースを解放するように要求するために、ＷＬＡＮリソース構成要求をアクセスネットワークシステムにおけるブロードバンドネットワークゲートウェイＢＮＧへ送信する。
【００４１】
ステップＳ４０４において、ＡＡＡサーバからＷＬＡＮリソース構成要求を受信後、ブロードバンドネットワークゲートウェイＢＮＧは、サービスの提供を停止するために、モバイルサイトが対応してアクセスしている当該ＷＴＰにおける対応するＷＬＡＮの削除を要求する前記ＷＬＡＮリソース要求に従って、アクセスノード制御ＡＮＣＰプロトコルベースのＷＬＡＮリソース構成メッセージをアクセス制御装置ＡＣ１へ送信する。
【００４２】
ステップＳ４０５において、アクセス制御装置ＡＣ１は、アクセスノード制御ＡＮＣＰプロトコルベースのＷＬＡＮリソース構成メッセージをネットワークゲートウェイＢＮＧから取得して、ＷＬＡＮリソース構成メッセージに従ってＷＬＡＮの構成管理を行うために、対応するワイヤレスアクセスノードＷＴＰを制御する、すなわち、サービスの提供を停止するために、ＷｉＦｉモバイルサイトＵＥ３が対応してアクセスしているＷＴＰ２上に対応するＷＬＡＮを構築する。
【００４３】
ステップＳ４０６において、ＷＴＰ２のＷＬＡＮを削除することに成功した後で、アクセス制御装置ＡＣ１は、前記ＷＬＡＮリソース構成が成功したことを確認するために対応する応答メッセージをブロードバンドネットワークゲートウェイＢＮＧへ送信する。
【００４４】
ステップＳ４０７において、応答メッセージを受信後、ブロードバンドネットワークゲートウェイＢＮＧはさらに、ＷＬＡＮリソース構成結果をＡＡＡ認証サーバ（またはポリシサーバ）へ送信する。
【００４５】
図５は、本発明の実施形態において提供されるアクセスネットワークシステムにおけるＷＬＡＮの動的解放の実施形態を示した図である。同図においては、ＷＬＡＮリソースを検出して報告するＷＴＰ２に基づいて、ブロードバンドネットワークゲートウェイＢＮＧは、ＡＡＡサーバからのＷＬＡＮリソース構成要求に従ってアクセスネットワークシステムにおけるモバイルサイトＵＥ３に対するＷＬＡＮアクセスリソースを解放する。
【００４６】
ステップＳ５０１において、モバイルサイトＵＥ３が何の兆候または通知もなしにＷＬＡＮから離脱すると、所定の時間の経過後、ＷＴＰ２はモバイルサイトＵＥ３がオーバータイムとなったことを検出し、アクセスコントローラＡＣ１に対してこのモバイルサイトを削除するように通知するために、ＣＡＰＷＡＰプロトコルベースのメッセージをアクセスコントローラＡＣ１へ送信する。
【００４７】
ステップＳ５０２において、アクセスコントローラＡＣ１は、そのモバイルサイトＵＥ３がＷＴＰ２から退出したことを示すために、ＡＮＣＰプロトコル方式ベースのＷＬＡＮリソース制御メッセージを介してブロードバンドネットワークゲートウェイＢＮＧへ通知する。
【００４８】
ステップＳ５０３において、ブロードバンドネットワークゲートウェイＢＮＧは、モバイルサイトの退出をＡＡＡサーバへレポートする。
【００４９】
ステップＳ５０４において、ＡＡＡサーバは、前記リソースレポートに基づいてＷＬＡＮリソース構成更新を行うべきか否かを決定する。まず、ＡＡＡサーバは、対応するＷＩＴエントリを更新する、すなわち、モバイルサイトＵＥ３の情報を対応するＷＬＡＮエントリから削除する。ＷＬＡＮにユーザがいない場合には、ＡＡＡサーバは、ブロードバンドネットワークゲートウェイＢＮＧが対応するＷＬＡＮを削除してリソースを解放するように要求するために、ＷＬＡＮリソース構成要求をアクセスネットワークシステムにおけるブロードバンドネットワークゲートウェイＢＮＧへ送信する。
【００５０】
ステップＳ５０５において、ブロードバンドネットワークゲートウェイＢＮＧは、アクセスコントローラＡＣ１がＷＴＰ２上の対応するＷＬＡＮを削除することを要求するために、アクセスノード制御ＡＮＣＰプロトコルベースのＷＬＡＮリソース構成メッセージをアクセスコントローラＡＣ１へ送信する。
【００５１】
ステップＳ５０６において、アクセスコントローラＡＣ１は、サービスを提供するために、ＷＴＰ２が対応してアクセスした対応するＷＬＡＮを削除するために、アクセスノード制御ＡＮＣＰプロトコルベースのＷＬＡＮリソース構成メッセージに従ってＷＬＡＮの構成管理を行うように、その対応するワイヤレスアクセスノードＷＴＰ２を制御する。
【００５２】
ステップＳ５０７において、ＷＴＰにおいてＷＬＡＮの削除に成功後、アクセス制御装置ＡＣ１は、ＷＬＡＮリソース構成の成功を確認するための対応する応答メッセージをブロードバンドネットワークゲートウェイＢＮＧへ送信する。
【００５３】
ステップＳ５０８において、応答メッセージを受信後、ブロードバンドネットワークゲートウェイＢＮＧはさらに、ＷＬＡＮリソース構成結果をＡＡＡ認証サーバ（またはポリシサーバ）へ送信する。
【００５４】
当業者であれば、上述した手段および機能が、プログラム制御マイクロプロセッサと汎用コンピュータのソフトウェア機能との組合せにおいて実装され得ること、および／または、特定用途向け集積回路（ＡＳＩＣ）を用いて実装され得ることを理解するはずである。また、本発明は主として方法および装置の形で説明されたが、本発明は、コンピュータプロセッサと当該プロセッサに接続されたメモリとを含み、このメモリがここに記載された機能を行う１つまたは複数のプログラムでエンコードされ得る、コンピュータプログラム製品およびシステムに具現化され得ることを理解されたい。
【００５５】
本発明を説明するために幾つかの実施形態を上記のとおり提供したが、これらの実施形態は、本発明の保護範囲を限定するために用いられるべきではない。当業者であれば、本発明の範囲と趣旨とを逸脱しないで実施形態に対して様々な変更を行うことができる。かかる変更はすべて本発明の範囲に属するものである。
【図１】
2016519884.tif 000003
【図２】
2016519884.tif 000004
【図３】
2016519884.tif 000005
【図４】
2016519884.tif 000006
【図５】
2016519884.tif 000007
【国際調査報告】
2016519884.tif 000008
2016519884.tif 000009
2016519884.tif 000010